(57)【特許請求の範囲】
【請求項１】
周波数環境内において遊休チャンネルを検索する方法において、
複数の周辺機器のうち、第１周辺機器に、前記周波数環境での周波数チャンネルのうち少なくとも一つの第１周波数チャンネルを含む第１周波数セットを割り当てるステップと、
複数の周辺機器のうち、第２周辺機器に、前記周波数環境での周波数チャンネルのうち、少なくとも一つの第２周波数チャンネルを含む第２周波数セットを割り当てるステップと、
前記第１周辺機器及び前記第２周辺機器に、前記第１周波数セット及び前記第２周波数セットそれぞれでの周波数チャンネルの状態の報告を要請するステップと、
前記要請に対する応答として、前記第１周辺機器及び前記第２周辺機器が検索した周波数チャンネルの状態についての情報を受信するステップであって、前記検索したチャネルの状態についての情報は、前記検索した周波数チャネルの各々が使用中であるか否かについての情報を含む、ステップと、
を含み、
前記周波数チャネルの検索は、周波数チャネルを優先的に使用できる権限を持つ優先ユーザによって使用中の周波数チャネルとは異なる遊休チャネルを検索することを可能とするような態様で実行されることを特徴とする、周波数環境検索方法。
【請求項２】
前記第１周波数セットを割り当てるステップは、
検索する周波数チャンネルの数及び帯域のうち、少なくとも一つを前記第１周波数セットとして割り当てることを特徴とする請求項１に記載の周波数環境検索方法。
【請求項３】
前記検索する周波数チャンネルの数は、
前記複数の周辺機器の数に基づいて割り当てられることを特徴とする請求項２に記載の周波数環境検索方法。
【請求項４】
前記検索する周波数チャンネルの数は、
前記第１周辺機器の性能に基づいて割り当てられることを特徴とする請求項２に記載の周波数環境検索方法。
【請求項５】
前記検索する周波数チャンネルの数は、
前記第１周辺機器の性能が前記第２周辺機器の性能より優れた場合に、前記第１周波数セットが前記第２周波数セットよりさらに多くの周波数チャンネルを持つように割り当てられることを特徴とする請求項４に記載の周波数環境検索方法。
【請求項６】
前記検索する周波数チャンネルの数は、
前記複数の周辺機器の種類及び性能についての情報のうち、少なくとも一つを含むデータベースから得られた前記複数の周辺機器の性能についての情報に基づいて割り当てられることを特徴とする請求項４に記載の周波数環境検索方法。
【請求項７】
前記検索する周波数チャンネルの数は、
前記複数の周辺機器それぞれが現在行っている動作に基づいて割り当てられることを特徴とする請求項２に記載の周波数環境検索方法。
【請求項８】
前記検索する周波数チャンネルの数は、
前記複数の周辺機器のうち、相対的に負荷の少ない動作を行っている周辺機器がさらに多くの周波数チャンネルを検索するように割り当てられることを特徴とする請求項７に記載の周波数環境検索方法。
【請求項９】
前記動作は、
所定のデータを出力する動作、所定のデータを伝送する動作及び所定の演算を行う動作のうち、少なくとも一つを含むことを特徴とする請求項７に記載の周波数環境検索方法。
【請求項１０】
前記検索する周波数チャンネルの数及び帯域は、
所定の時間ごとに前記検索する周波数チャンネルの数及び帯域のうち、少なくとも一つを変更する方式で割り当てられることを特徴とする請求項２に記載の周波数環境検索方法。
【請求項１１】
前記検索する周波数チャンネルの帯域は、
前記複数の周辺機器それぞれが検索する周波数チャンネルの開始チャンネル及び終了チャンネルを決定する方式で割り当てられることを特徴とする請求項２に記載の周波数環境検索方法。
【請求項１２】
前記周波数チャンネルの状態についての情報は、
前記周波数チャンネルの通信品質についての情報及び前記周波数チャンネルが使用中であるかどうかについての情報のうち、少なくとも一つを含むことを特徴とする請求項１に記載の周波数環境検索方法。
【請求項１３】
周波数環境内において遊休チャンネルを検索する方法において、
第１デバイスが複数の端末のうち第１端末に、前記周波数環境での周波数チャンネルのうち、少なくとも一つの第１周波数チャンネルを含む第１周波数セットを割り当てるステップと、
第１デバイスが複数の端末のうち第２端末に、前記周波数環境での周波数チャンネルのうち、少なくとも一つの第２周波数チャンネルを含む第２周波数セットを割り当てるステップと、
第１デバイスが前記第１端末及び前記第２端末に、前記第１周波数セット及び前記第２周波数セットそれぞれでの周波数チャンネルの状態の報告を要請するステップと、
第１デバイスが前記要請に対する応答として、前記第１端末及び前記第２端末が検索した周波数チャンネルの状態についての情報を受信するステップであって、前記検索したチャネルの状態についての情報は、前記検索した周波数チャネルの各々が使用中であるか否かについての情報を含む、ステップと、を含み、
前記周波数チャネルの検索は、周波数チャネルを優先的に使用できる権限を持つ優先ユーザによって使用中の周波数チャネルとは異なる遊休チャネルを検索することを可能とするような態様で実行される、ことを特徴とする周波数環境検索方法。
【請求項１４】
前記第１デバイスは、ベースステーションであることを特徴とする請求項１３に記載の周波数環境検索方法。
【請求項１５】
周波数環境内において遊休チャンネルを検索する装置において、
それぞれの周波数セットが前記周波数環境での周波数チャンネルのうち、少なくとも一つの相異なるチャンネルを含む時、前記複数の周波数セットを複数の周辺機器に割り当てる検索チャンネル割り当て部と、
前記複数の周辺機器に前記複数の周波数セットでの周波数チャンネルの状態の報告を要請する命令伝送部と、
前記要請に対する応答として、前記複数の周辺機器が検索した周波数チャンネルの状態についての情報を受信する受信部であって、前記検索した周波数チャネルの状態についての情報は、前記検索した周波数チャネルの各々が使用中であるか否かについての情報を含む、受信部と、を備え、
前記周波数チャネルの検索は、周波数チャネルを優先的に使用できる権限を持つ優先ユーザによって使用中の周波数チャネルとは異なる遊休チャネルを検索することを可能とするような態様で実行される、ことを特徴とする周波数環境検索装置。
【請求項１６】
前記検索チャンネル割り当て部は、
前記複数の周辺機器それぞれに対して検索する前記周波数チャンネルの数及び帯域のうち、少なくとも一つを割り当てることを特徴とする請求項１５に記載の周波数環境検索装置。
【請求項１７】
前記検索チャンネル割り当て部は、
前記検索する周波数チャンネルの数を、前記複数の周辺機器の数に基づいて前記複数の周辺機器それぞれに対して割り当てることを特徴とする請求項１６に記載の周波数環境検索装置。
【請求項１８】
前記検索チャンネル割り当て部は、
前記検索する周波数チャンネルの数を、前記複数の周辺機器それぞれの性能に基づいて前記複数の周辺機器それぞれに対して割り当てることを特徴とする請求項１６に記載の周波数環境検索装置。
【請求項１９】
前記検索チャンネル割り当て部は、
前記検索する周波数チャンネルの数を、前記複数の周辺機器のうち、相対的に性能がさらに優れた周辺機器がさらに多くの周波数チャンネルを検索するように前記複数の周辺機器それぞれに対して割り当てることを特徴とする請求項１８に記載の周波数環境検索装置。
【請求項２０】
前記検索チャンネル割り当て部は、
前記複数の周辺機器の種類及び性能についての情報のうち、少なくとも一つを含むデータベースから得られた前記複数の周辺機器の性能についての情報に基づいて、前記複数の周辺機器それぞれに対して前記検索する周波数チャンネルの数を割り当てることを特徴とする請求項１９に記載の周波数環境検索装置。
【請求項２１】
前記検索チャンネル割り当て部は、
前記検索する周波数チャンネルの数を、前記複数の周辺機器それぞれが現在行っている動作に基づいて前記複数の周辺機器それぞれに対して割り当てることを特徴とする請求項１５に記載の周波数環境検索装置。
【請求項２２】
前記検索チャンネル割り当て部は、
前記検索する周波数チャンネルの数を、前記複数の周辺機器のうち、相対的に負荷の少ない動作を行っている周辺機器がさらに多くの周波数チャンネルを検索するように前記複数の周辺機器それぞれに対して割り当てることを特徴とする請求項２１に記載の周波数環境検索装置。
【請求項２３】
前記動作は、
所定のデータを出力する動作、所定のデータを伝送する動作及び所定の演算を行う動作のうち、いずれか一つを含むことを特徴とする請求項２１に記載の周波数環境検索装置。
【請求項２４】
前記検索チャンネル割り当て部は、
所定の時間ごとに前記検索する周波数チャンネルの数及び帯域を変更する方式で、前記周波数チャンネルの数及び帯域を前記複数の周辺機器それぞれに対して割り当てることを特徴とする請求項１５に記載の周波数環境検索装置。
【請求項２５】
前記検索チャンネル割り当て部は、
前記検索する周波数チャンネルの帯域を、前記複数の周辺機器それぞれが検索する周波数チャンネルの開始チャンネル及び終了チャンネルを決定する方式で、前記複数の周辺機器それぞれに対して割り当てることを特徴とする請求項１５に記載の周波数環境検索装置。
【請求項２６】
前記周波数チャンネルの状態についての情報は、
前記周波数チャンネルの通信品質についての情報及び前記周波数チャンネルが使用中であるかどうかについての情報のうち、少なくとも一つを含むことを特徴とする請求項１５に記載の周波数環境検索装置。
【請求項２７】
前記遊休チャンネル検索装置及び前記複数の周辺機器は無線に連結されたことを特徴とする請求項１６に記載の周波数環境検索装置。
【請求項２８】
同じ周波数環境下で複数の端末機と通信するベースステーションを通じて、前記周波数環境内において遊休チャンネルを検索する装置において、
それぞれの周波数セットが前記周波数環境での周波数チャンネルのうち、少なくとも一つの相異なるチャンネルを含む時、複数の前記周波数セットを複数の端末に割り当てる検索チャンネル割り当て部と、
前記複数の端末に前記複数の周波数セットでの周波数チャンネルの状態の報告を要請する命令伝送部と、
前記要請に対する応答として、前記複数の周辺機器が検索した周波数チャンネルの状態についての情報を受信する受信部であって、前記検索したチャネルの状態についての情報は、前記検索した周波数チャネルの各々が使用中であるか否かについての情報を含む、受信部と、を備え、
前記周波数チャネルの検索は、周波数チャネルを優先的に使用できる権限を持つ優先ユーザによって使用中の周波数チャネルとは異なる遊休チャネルを検索することを可能とするような態様で実行される、ことを特徴とする周波数環境検索装置。
【請求項２９】
請求項１に記載の方法を実行させるためのプログラムが記録されたコンピュータで読み取り可能な記録媒体。
【発明の詳細な説明】
【技術分野】
【０００１】
本発明は、遊休チャンネル検索方法及びその装置に係り、特に、同じ周波数環境での遊休チャンネル検索方法及びその装置に関する。
【背景技術】
【０００２】
地域と時間によって現在の周波数チャンネルの状態を感知した後、知能的に判断して適切な周波数、変調方式、出力などを選択してリアルタイムで遊休周波数チャンネルを動的に移動しつつ通信する認知無線技術と関連した技術が、限定された周波数資源の活用という側面で活発に開発されている。
【０００３】
この遊休周波数チャンネルの効率的活用技術をＵＨＦ（Ｕｌｔｒａ  Ｈｉｇｈ  Ｆｒｅｑｕｅｎｃｙ）周波数帯域に導入するために、周波数チャンネルを優先的に使用できる権限を持つ優先ユーザ（例えば、空中波チャンネル）を短時間内に検出して、優先ユーザではない装置間では、優先ユーザが使用する周波数チャンネルと異なる周波数チャンネルを利用して通信をする技術が重要な技術として浮び上がっている。
【０００４】
図１は、従来の周波数チャンネルの状態検索方法を説明するために示す図である。ステップ１１０では、基地局が端末機に周波数チャンネルの状態を検索することを命令するチャンネル状態検索命令を伝送する。
【０００５】
この時、図１には端末機が一つのみ図示されているが、基地局は、少なくとも一つ以上の端末機にチャンネル状態検索命令を伝送する。以下では、複数の端末機のうち、一つの端末機と基地局との間で行われるプロセスについて記述する。
【０００６】
ステップ１２０では、端末機がチャンネル状態検索命令を受信したことを表す命令受信応答を基地局に伝送する。
【０００７】
この時、基地局は命令受信応答を受信できなければ、チャンネル状態検索命令を再び端末機に伝送する。
【０００８】
ステップ１３０では、端末機がチャンネル状態検索命令によって検索した周波数チャンネルの状態を基地局に報告する。
【０００９】
ステップ１４０では、基地局が端末機から周波数チャンネルの状態についての報告を受信したことを表す報告受信応答を端末機に伝送する。
【００１０】
この時、端末機は報告受信応答を受信しなければ、基地局に周波数チャンネルの状態を再び報告する。
【００１１】
このような過程を通じて基地局は、複数の端末機から周波数チャンネルの状態を報告される。この時、基地局は、周波数チャンネルの通信品質についての情報及び周波数チャンネルが使用中であるかどうかについての情報を報告されるようになる。
【００１２】
この時、複数の端末機は、それぞれ全体周波数チャンネルの状態を検索して基地局にそのチャンネル状態を報告する。一般的に野外では各端末機が遠く離れて（３０〜１００Ｋｍ）いるので、各端末機の周辺環境、すなわち、周波数環境が異なって基地局がそれぞれの端末機から受信する周波数チャンネルの状態についての情報が異なる。
【００１３】
しかし、室内のように狭い領域の場合、ＵＨＦ電波の特性により各端末機の周波数環境が同一であると見ることができる。従来技術は、このように同じ周波数環境でも複数の端末機それぞれが全体周波数チャンネルについての状態を検索することによって、周波数チャンネルの状態についての効率的な検索が行えなくなるという問題があった。
【発明の開示】
【発明が解決しようとする課題】
【００１４】
本発明の目的は、同じ周波数環境で効率的に遊休チャンネルを検索するための同じ周波数環境で複数の周辺機器と通信するデバイスが、その周波数環境で遊休チャンネルを検索する方法及びその装置を提供することである。
【課題を解決するための手段】
【００１５】
前記目的を達成するための本発明による遊休チャンネルのために周波数環境を検索する方法は、複数の周辺機器のうち、第１周辺機器に、前記周波数環境での周波数チャンネルのうち、少なくとも一つの第１周波数チャンネルを含む第１周波数セットを割り当てるステップと、複数の周辺機器のうち、第２周辺機器に、前記周波数環境での周波数チャンネルのうち、少なくとも一つの第２周波数チャンネルを含む第２周波数セットを割り当てるステップと、前記第１周辺機器及び前記第２周辺機器に、前記第１周波数セット及び前記第２周波数セットそれぞれでの周波数チャンネルの状態を要請するステップと、前記要請に対する応答として、前記第１周辺機器及び前記第２周辺機器が検索した周波数チャンネルの状態についての情報を受信するステップと、を含む。
【００１６】
望ましくは、前記第１周波数セットを割り当てるステップは、検索する周波数チャンネルの数及び帯域のうち、少なくとも一つを前記第１周波数セットとして割り当てることを特徴とする。
【００１７】
望ましくは、前記検索する周波数チャンネルの数は、前記複数の周辺機器の数に基づいて割り当てられることを特徴とする。
【００１８】
望ましくは、前記検索する周波数チャンネルの数は、前記第１周辺機器の性能に基づいて割り当てられることを特徴とする。
【００１９】
望ましくは、前記検索する周波数チャンネルの数は、前記第１周辺機器の性能が前記第２周辺機器の性能より優れた場合に、前記第１周波数セットが前記第２周波数セットよりさらに多くの周波数チャンネルを持つように割り当てられることを特徴とする。
【００２０】
望ましくは、前記検索する周波数チャンネルの数は、前記複数の周辺機器の種類及び性能についての情報のうち、少なくとも一つを含むデータベースから得られた前記複数の周辺機器の性能についての情報に基づいて割り当てられることを特徴とする。
【００２１】
望ましくは、前記検索する周波数チャンネルの数は、前記複数の周辺機器それぞれが現在行っている動作に基づいて割り当てられることを特徴とする。
【００２２】
望ましくは、前記検索する周波数チャンネルの数は、前記複数の周辺機器のうち、相対的にさらに重要な動作を行っている周辺機器がさらに少ない周波数チャンネルを検索するように割り当てられることを特徴とする。
【００２３】
望ましくは、前記検索する周波数チャンネルの数は、前記複数の周辺機器のうち、相対的に負荷の少ない動作を行っている周辺機器がさらに多くの周波数チャンネルを検索するように割り当てられることを特徴とする。
【００２４】
望ましくは、前記動作は、所定のデータを出力する動作、所定のデータを伝送する動作及び所定の演算を行う動作のうち、少なくとも一つを含むことを特徴とする。
【００２５】
望ましくは、前記検索する周波数チャンネルの数及び帯域は、所定の時間ごとに前記検索する周波数チャンネルの数及び帯域のうち、少なくとも一つを変更する方式で割り当てられることを特徴とする。
【００２６】
望ましくは、前記検索する周波数チャンネルの帯域は、前記複数の周辺機器それぞれが検索する周波数チャンネルの開始チャンネル及び終了チャンネルを決定する方式で割り当てられることを特徴とする。
【００２７】
望ましくは、前記周波数チャンネルの状態についての情報は、前記周波数チャンネルの通信品質についての情報及び前記周波数チャンネルが使用中であるかどうかについての情報のうち、少なくとも一つを含む。
【００２８】
また、前記目的を達成するための本発明による遊休チャンネルのために周波数環境を検索する方法は、第１デバイスが複数の端末のうち第１端末に、前記周波数環境での周波数チャンネルのうち、少なくとも一つの第１周波数チャンネルを含む第１周波数セットを割り当てるステップと、第１デバイスが複数の端末のうち第２端末に、前記周波数環境での周波数チャンネルのうち、少なくとも一つの第２周波数チャンネルを含む第２周波数セットを割り当てるステップと、第１デバイスが前記第１端末及び前記第２端末に、前記第１周波数セット及び前記第２周波数セットそれぞれでの周波数チャンネルの状態を要請するステップと、第１デバイスが前記要請に対する応答として、前記第１端末及び前記第２端末が検索した周波数チャンネルの状態についての情報を受信するステップとを含む。
【００２９】
望ましくは、前記第１デバイスは、ベースステーションであることを特徴とする。
【００３０】
また、前記目的を達成するための本発明による遊休チャンネルのために周波数環境を検索する装置は、それぞれの周波数セットが前記周波数環境での周波数チャンネルのうち、少なくとも一つの相異なるチャンネルを含む時、前記複数の周波数セットを複数の周辺機器に割り当てる検索チャンネル割り当て部と、前記複数の周辺機器に前記複数の周波数セットでの周波数チャンネルの状態を要請する命令伝送部と、前記要請に対する応答として、前記複数の周辺機器が検索した周波数チャンネルの状態についての情報を受信する受信部とを備える。
【００３１】
また、前記目的を達成するための本発明による同じ周波数環境で複数の端末機と通信するベースステーションを通じて遊休チャンネルのために周波数環境を検索する装置は、それぞれの周波数セットが前記周波数環境での周波数チャンネルのうち、少なくとも一つの相異なるチャンネルを含む時、複数の前記周波数セットを複数の端末に割り当てる検索チャンネル割り当て部と、前記複数の端末に前記複数の周波数セットでの周波数チャンネルの状態を要請する命令伝送部と、前記要請に対する応答として、前記複数の周辺機器が検索した周波数チャンネルの状態についての情報を受信する受信部とを備える。
【００３２】
また本発明は、前記目的を達成するために、複数の周辺機器のうち、第１周辺機器に、前記周波数環境での周波数チャンネルのうち、少なくとも一つの第１周波数チャンネルを含む第１周波数セットを割り当てるステップと、複数の周辺機器のうち、第２周辺機器に前記周波数環境での周波数チャンネルのうち、少なくとも一つの第２周波数チャンネルを含む第２周波数セットを割り当てるステップと、第１周辺機器及び前記第２周辺機器に、前記第１周波数セット及び前記第２周波数セットそれぞれでの周波数チャンネルの状態を要請するステップと、前記要請に対する応答として、前記第１周辺機器及び前記第２周辺機器が検索した周波数チャンネルの状態についての情報を受信するステップと、を含む周波数環境検索方法を実行させるためのプログラムが記録されたコンピュータで読み取り可能な記録媒体を提供する。
【発明の効果】
【００３３】
本発明は、同じ周波数環境の全体周波数チャンネルのうち、複数の周辺機器それぞれに対して検索する少なくとも一つの周波数チャンネルを割り当て、複数の周辺機器それぞれに割り当てられた周波数チャンネルの状態を検索することを命令するチャンネル状態検索命令を伝送し、チャンネル状態検索命令に対する応答として複数の周辺機器が検索した周波数チャンネルの状態についての情報を受信することによって、効率的に遊休チャンネルを検索できる。
【００３４】
また、周波数チャンネルについての状態をさらに細部的に検索できる。
【発明を実施するための最良の形態】
【００３５】
以下では、添付した図面を参照して本発明の望ましい実施形態に対し説明する。
【００３６】
図２は、本発明による同じ周波数環境での遊休チャンネル検索装置の一実施形態を示す図である。図２を参照するに、本発明による遊休チャンネル検索装置は、検索チャンネル割り当て部２１０、命令伝送部２２０及び受信部２３０を備える。
【００３７】
検索チャンネル割り当て部２１０は、全体周波数チャンネルのうち、複数の周辺機器それぞれに対して検索する少なくとも一つの周波数チャンネルを割り当てる。
【００３８】
この時、検索チャンネル割り当て部２１０は、複数の周辺機器それぞれに対して検索する周波数チャンネルの数及び帯域のうち、少なくとも一つを割り当てることができる。
【００３９】
本発明は、このように複数の周辺機器それぞれが検索する周波数チャンネルの数及び帯域をそれぞれの複数の周辺機器に割り当てすることで、複数の周辺機器それぞれが全体周波数チャンネルの状態を検索せず、複数の周辺機器ごとに自身に割り当てられたチャンネルの数及び帯域の周波数チャンネルの状態のみを検索する。
【００４０】
例えば、全体チャンネルを３０とすれば、従来にはあらゆる周辺機器が３Ｏ個の周波数チャンネルの状態を検索したが、本発明の場合には、周辺機器１は、周波数チャンネル１から周波数チャンネル１０の帯域までの１０個の周波数チャンネルの状態を検索し、周辺機器２は、周波数チャンネル１１から周波数チャンネル２０の帯域までの１０個の周波数チャンネルの状態を検索し、周辺機器３は、周波数チャンネル２１から周波数チャンネル３０の帯域までの１０個の周波数チャンネルの状態を検索できる。
【００４１】
前記例で、このように３個の周辺機器が周波数チャンネルを分割してその周波数チャンネルの状態を検索することによって、優先ユーザが使用する周波数チャンネルを従来に比べて３倍速く検索でき、同じ時間に周波数チャンネルの状態についての検索を行う場合には、同じ時間に相対的に少ない周波数チャンネルの状態を検索するので、周波数チャンネルについての状態をさらに細部的に検索できる。
【００４２】
命令伝送部２２０は、検索チャンネル割り当て部２１０で割り当てられた周波数チャンネルの数及び帯域に基づいて、複数の周辺機器に周波数チャンネルの状態を検索することを命令するチャンネル状態検索命令を伝送する。
【００４３】
この時、複数の周辺機器と本発明による遊休チャンネル検索装置とは無線に連結されている。また、本実施形態で複数の周辺機器は、本発明による遊休チャンネル検索装置と共に狭い領域に位置していて、同じ周波数環境に置かれていると仮定する。
受信部２３０は、命令伝送部２２０が伝送したチャンネル状態検索命令に対する応答として、複数の周辺機器が検索した周波数チャンネルの状態についての情報を受信する。
【００４４】
ここで、周波数チャンネルの状態についての情報は、周波数チャンネルの通信品質についての情報及び周波数チャンネルが使用中であるかどうかについての情報のうち、少なくとも一つを含む。
【００４５】
特に、このうちでも、所定の周波数チャンネルが優先ユーザによって使用中であるかどうかについての情報を通じて遊休チャンネルを検索できるようになる。
【００４６】
この時、受信部２３０は、命令伝送部２２０が複数の周辺機器にチャンネル状態検索命令を伝送した後に、周辺機器からチャンネル状態検索命令を受信したことを表す命令受信応答を受信することができる。この時、受信部２３０が命令受信応答を受信できなくなれば、命令伝送部２２０は、複数の周辺機器から命令受信応答を受信するまで複数の周辺機器に反復してチャンネル状態検索命令を伝送する。
【００４７】
この場合に、本発明は、命令伝送部２２０が受信部２３０に所定の時間以内に命令受信応答が受信されたかどうかをチェックして、命令受信応答が受信されていないと判断されれば、チャンネル状態検索命令を伝送する方式で構成されてもよく、受信部２３０は、所定の時間以内に命令受信応答が受信されなければ、命令伝送部２２０にチャンネル状態検索命令を伝送することを要請し、その要請を受けた命令伝送部２２０がチャンネル状態検索命令を伝送する方式で構成されてもよい。
【００４８】
図３は、本発明による同じ周波数環境での遊休チャンネル検索装置の動作の一実施形態を説明するために示す図である。図３を参照するに、本発明による遊休チャンネル検索装置３００が周辺機器１  ３１０、周辺機器２  ３２０及び周辺機器３  ３３０からチャンネル状態の報告を受信することを示す。ここで、本発明による遊休チャンネル検索装置３００とそれぞれの周辺機器３１０、３２０、３３０とは無線に連結されている。
【００４９】
この時、それぞれの周辺機器が検索する周波数チャンネルの数は、あらゆる周辺機器が同じ数ほどの周波数チャンネルを検索するように割り当てられてもよい。例えば、全体チャンネルが３０個であり、周辺機器が３個である場合には、それぞれの周辺機器が１０個の周波数チャンネルの状態を検索して本発明による遊休チャンネル検索装置３００に報告できる。
【００５０】
このような場合に、それぞれの周辺機器が検索する周波数チャンネルの数は同一にし、検索する周波数チャンネルの帯域のみ変更して周波数チャンネルの状態を検索してもよい。
【００５１】
例えば、周波数チャンネルの検索帯域が、元来の周辺機器１は、周波数チャンネル１から周波数チャンネル１０までであり、周辺機器２は、周波数チャンネル１１から周波数チャンネル２０までであり、周辺機器３は、周波数チャンネル２１から周波数チャンネル３０までであれば、検索チャンネル割り当て部２１０は、所定の時間が経過した後には、周波数チャンネルの検索帯域が、周辺機器１は、周波数チャンネル１１から周波数チャンネル２０までになり、周辺機器２は、周波数チャンネル２１から周波数チャンネル３０までになり、周辺機器３は、周波数チャンネル１から周波数チャンネル１０までになるように変更できる。
【００５２】
また、図３に示したように、周辺機器の性能に基づいてそれぞれの周辺機器が検索する周波数チャンネルの数が割り当てられてもよい。
【００５３】
すなわち、複数の周辺機器のうち、相対的に性能にさらに優れた周辺機器に、さらに多くの周波数チャンネルが検索可能に割り当てられることである。
【００５４】
例えば、図３は、周辺機器の性能に優れた程度が周辺機器３、周辺機器２、周辺機器１の順序で割り当てられた場合であり、したがって、周辺機器３は、周波数チャンネル１６から周波数チャンネル３０までの１５個の周波数チャンネルの状態を検索し、周辺機器２は、周波数チャンネル６から１５までの１０個の周波数チャンネルの状態を検索し、周辺機器１は、周波数チャンネル１から５までの５個の周波数チャンネルの状態を検索する。
【００５５】
この時、検索チャンネル割り当て部２１０は、複数の周辺機器の種類及び性能についての情報のうち、少なくとも一つを含むデータベースから複数の周辺機器の性能についての情報を得た後、その性能についての情報に基づいてそれぞれの周辺機器が検索する周波数チャンネルの数を割り当てることができる。
【００５６】
ここで、それぞれの周辺機器の性能についての情報は、命令伝送部２２０が複数の周辺機器に性能に関する情報を伝送することを要請する命令を伝送すれば、その命令に対する応答として、それぞれの周辺機器から受信される性能に関する情報を受信部２３０が受信することによって得ることもできる。
【００５７】
他の実施形態として、それぞれの周辺機器が検索する周波数チャンネルの数は、複数の周辺機器それぞれが現在行っている動作に基づいて割り当てられうる。
【００５８】
すなわち、複数の周辺機器のうち、相対的にさらに重要な動作を行っている周辺機器に、さらに少ない周波数チャンネルが検索可能に割り当てられうる。
【００５９】
また、複数の周辺機器のうち、相対的に負荷の少ない動作を行っている周辺機器に、さらに多い周波数チャンネルが検索可能に割り当てられてもよい。
【００６０】
この時、周辺機器が行う動作は、所定のデータを出力する動作、所定のデータを伝送する動作及び所定の演算を行う動作のうち、いずれか一つを含むことができる。
【００６１】
一方、本発明による遊休チャンネル検索装置は、具現例によってベースステーションとして構成され、複数の周辺機器は端末機でありうる。ただし、この場合にもベースステーションと複数の周辺機器とは同じ周波数環境にあると認められるほど、近接した距離に位置していなければならない。
【００６２】
図４は、本発明による同じ周波数環境での遊休チャンネル検索方法の一実施形態を説明するために示したフローチャートである。
【００６３】
ステップ４１０では、全体周波数チャンネルのうち、複数の周辺機器それぞれに対して検索する少なくとも一つの周波数チャンネルを割り当てる。
【００６４】
ステップ４２０では、複数の周辺機器それぞれに割り当てられた周波数チャンネルの状態を検索することを命令するチャンネル状態検索命令を伝送する。
【００６５】
ステップ４３０では、チャンネル状態検索命令に対する応答として、複数の周辺機器が検索した周波数チャンネルの状態についての情報を受信する。
【００６６】
一方、前述した本発明の実施形態はコンピュータで実行されるプログラムで作成でき、コンピュータで読み取り可能な記録媒体を利用して前記プログラムを動作させる汎用ディジタルコンピュータで具現される。
【００６７】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【００６８】
これまで本発明についてその望ましい実施形態を中心に説明した。当業者ならば、本発明が本発明の本質的な特性から逸脱しない範囲で変形された形態で具現されるということを理解できるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は本発明に含まれている解釈されねばならない。     
【産業上の利用可能性】
【００６９】
本発明は、遊休チャンネル検索方法及びその装置に関する技術分野に好適に用いられる。
【図面の簡単な説明】
【００７０】
【図１】従来の周波数チャンネルの状態検索方法を説明するために示す図である。
【図２】本発明による同じ周波数環境での遊休チャンネル検索装置の一実施形態を示す図である。
【図３】本発明による同じ周波数環境での遊休チャンネル検索装置の動作の一実施形態を説明するために示す図である。
【図４】本発明による同じ周波数環境での遊休チャンネル検索方法の一実施形態を説明するために図示したフローチャートである。
【符号の説明】
【００７１】
２１０  検索チャンネル割り当て部
２２０  命令伝送部
２３０  受信部
３００  遊休チャンネル検索装置
３１０  周辺機器１
３２０  周辺機器２
３３０  周辺機器３
【図１】
0005410693.tif 000002
【図２】
0005410693.tif 000003
【図３】
0005410693.tif 000004
【図４】
0005410693.tif 000005